(57)【要約】【課題】撮像センサのフランジ面より正面側にねじが突出しないようにして、撮影光学系の最終光学系を撮像センサの撮像面に近づけて広角の画像を得る。【解決手段】撮像装置は、レンズユニット１０３と、レンズユニット１０３に対して位置決めされた状態で嵌合されるフランジ４０４を有する撮像センサ４０１と、撮像センサ４０１の背面側に配置され、フランジ４０４をレンズユニット１０３に向けて押圧するフランジ押圧部４１６を有する押圧部材４１５と、を備える。押圧部材４１５は、レンズユニット１０３にねじ止め４２１されることによってフランジ押圧部４１６がフランジ４０４をレンズユニット１０３に向けて押圧する。【選択図】図６
2018056634.tif 000002
【特許請求の範囲】
【請求項１】
レンズユニットと、
前記レンズユニットに対して位置決めされた状態で嵌合されるフランジを有する撮像センサと、
前記撮像センサの背面側に配置され、前記フランジを前記レンズユニットに向けて押圧するフランジ押圧部を有する押圧部材と、を備え、
前記押圧部材は、前記レンズユニットにねじ止めされることによって前記フランジ押圧部が前記フランジを前記レンズユニットに向けて押圧することを特徴とする撮像装置。
【請求項２】
前記押圧部材の前記フランジ押圧部は、バネ性を有することを特徴とする請求項１に記載の撮像装置。
【請求項３】
前記押圧部材が前記レンズユニットにねじ止めされる部位は、前記フランジより光軸方向の背面側であることを特徴とする請求項１又は２に記載の撮像装置。
【請求項４】
前記押圧部材は、放熱機能を有することを特徴とする請求項１乃至３のいずれか一項に記載の撮像装置。
【請求項５】
前記撮像センサが実装されるセンサ基板に開口部が形成され、前記開口部には、前記撮像センサの背面に接触する放熱部材が設けられていることを特徴とする請求項１乃至４のいずれか一項に記載の撮像装置。
【請求項６】
前記押圧部材には、前記放熱部材を前記撮像センサに向けて押圧する放熱部材押圧部が設けられていることを特徴とする請求項５に記載の撮像装置。
【請求項７】
前記放熱部材は、放熱ゴムであることを特徴とする請求項５又は６に記載の撮像装置。
【発明の詳細な説明】
【技術分野】
【０００１】
本発明は、デジタルカメラやデジタルビデオカメラ等の撮像装置に関し、特に撮像センサの取り付け構造に関する。
【背景技術】
【０００２】
デジタルビデオカメラ等の撮像装置では、撮像センサのフランジを直接固定ねじでレンズユニットに固定して撮像センサの取り付け構造を小型かつ低コストで実現する技術が提案されている（特許文献１）。
【先行技術文献】
【特許文献】
【０００３】
【特許文献１】特開２０１０−０４１２１８号公報
【発明の概要】
【発明が解決しようとする課題】
【０００４】
しかし、上記特許文献１では、撮像センサのフランジを直接固定ねじでレンズユニットに固定するため、撮像センサの正面側（被写体側）に固定ねじが食い込んで突出してしまう。このため、レンズユニットの撮影光学系のうち、最も撮像センサ側に配置される最終光学系を撮像センサの撮像面に近づけることができず、広角の画像を得ることができないという問題がある。
【０００５】
そこで、本発明は、撮像センサのフランジ面より正面側にねじが突出しないようにして、撮影光学系の最終光学系を撮像センサの撮像面に近づけて広角の画像を得ることができる撮像装置を提供することを目的とする。
【課題を解決するための手段】
【０００６】
上記目的を達成するために、本発明の撮像装置は、レンズユニットと、前記レンズユニットに対して位置決めされた状態で嵌合されるフランジを有する撮像センサと、前記撮像センサの背面側に配置され、前記フランジを前記レンズユニットに向けて押圧するフランジ押圧部を有する押圧部材と、を備え、前記押圧部材は、前記レンズユニットにねじ止めされることによって前記フランジ押圧部が前記フランジを前記レンズユニットに向けて押圧することを特徴とする。
【発明の効果】
【０００７】
本発明によれば、撮像センサのフランジ面より正面側にねじが突出しないため、撮影光学系の最終光学系を撮像センサの撮像面に近づけて広角の画像を得ることができる。
【図面の簡単な説明】
【０００８】
【図１】本発明の撮像装置の実施形態の一例であるデジタルビデオカメラを示す斜視図である。
【図２】三脚ねじ支持ユニットの組み立て方法を説明する斜視図である。
【図３】三脚ねじ支持ユニットに中央放熱部材を組み付ける方法を説明する斜視図である。
【図４】撮像センサを説明する斜視図である。
【図５】レンズユニットを説明する斜視図である。
【図６】レンズユニットに放熱板を取り付けた状態を示す図である。
【図７】図３（ｂ）に示す支持ユニットに図６（ａ）に示すカメラユニットを組み付ける方法を説明する図である。
【図８】図７（ｂ）に示すユニットに緩衝部材を組み付ける方法を説明する斜視図である。
【図９】図８（ｃ）に示すユニットに左側部から部材を取り付ける方法を説明する斜視図である。
【図１０】図９（ｃ）に示すユニットの撮像センサの正面側位置での光軸と直交する方向に沿う断面模式図である。
【図１１】図９（ｃ）に示すユニットに光学ファインダとバッテリ収納部を組み付ける方法を説明する斜視図である。
【図１２】図１（ａ）に示すデジタルビデオカメラの撮像センサの正面側位置での光軸と直交する方向に沿う断面模式図である。
【発明を実施するための形態】
【０００９】
以下、図面を参照して、本発明の実施形態の一例を説明する。
【００１０】
図１（ａ）は本発明の撮像装置の実施形態の一例であるデジタルビデオカメラを正面側（被写体側）から見た斜視図、図１（ｂ）は図１（ａ）に示すデジタルビデオカメラを底面側から見た斜視図である。
【００１１】
本実施形態のデジタルビデオカメラは、図１に示すように、上面カバー１０８、底面カバー１１１、右側カバーユニット１０５及び左側カバーユニット１０９によりカメラ本体１０１の外装を形成している。上面カバー１０８は、カメラ本体１０１の上面部の外装を形成し、底面カバー１１１は、カメラ本体１０１の底面部の外装を形成する。また、右側カバーユニット１０５は、カメラ本体１０１を正面側から見て右側の側部（右側部）の外装を形成し、左側カバーユニット１０９は、左側の側部（左側部）の外装を形成する。
【００１２】
カメラ本体１０１の正面側（被写体側）の端部には、レンズユニット１０３が設けられ、カメラ本体１０１の上面部の正面側には、マイク部１０４が設けられている。カメラ本体１０１の右側部には、ＬＣＤ等の表示ユニット１０６が開閉方向に回動可能に設けられ、カメラ本体１０１の左側部上側には、操作部材１１０が設けられている。カメラ本体１０１の背面側の端部上側には、光学ファインダ１０７が設けられ、光学ファインダ１０７の下側には、バッテリ１１３が着脱可能に装着されるバッテリ収納部１１４が設けられている。また、カメラ本体１０１の底面部の略中央には、三脚を取り付ける際に三脚が当接する三脚当接部１１２が設けられている。
【００１３】
次に、図２を参照して、三脚ねじ支持ユニット２０５の組み立て方法について説明する。図２（ａ）に示すように、固定部材２０３の上面に対して底面補強部材２０２及び三脚ねじ２０１を順に組み付け、固定部材２０３の下面側から挿入された固定ねじ２０４を三脚ねじ２０１の雌ねじに締結する。これにより、三脚ねじ２０１と固定部材２０３によって底面補強部材２０２を挟んだ状態の三脚ねじ支持ユニット２０５を形成する。
【００１４】
図２（ｂ）は三脚ねじ支持ユニット２０５の正面側から見た斜視図、図２（ｃ）は図２（ｂ）に示す三脚ねじ支持ユニット２０５を底面側から見た斜視図である。図２（ｃ）に示すように、三脚ねじ支持ユニット２０５の固定部材２０３の底面には、前述した三脚当接部１１２が形成されている（図１（ｂ）参照）。
【００１５】
また、底面補強部材２０２の背面側端部には、基板取り付け部２０６が形成され、基板取り付け部２０６には、図２（ｄ）に示すように、メモリカード等の記録媒体が着脱可能に装着されるカードスロット実装基板２０７，２０８が取り付けられている。カードスロット実装基板２０７，２０８は、固定ねじ２０９により基板取り付け部２０６に締結される。
【００１６】
図３（ａ）は三脚ねじ支持ユニット２０５に中央放熱部材３０１を組み付ける様子を示す斜視図、図３（ｂ）は三脚ねじ支持ユニット２０５に中央放熱部材３０１を組み付けた状態を示す斜視図である。
【００１７】
図３（ａ）に示すように、中央放熱部材３０１を図２（ｄ）に示すカードスロット実装基板２０７，２０８を覆うように上方から組み付けて、固定ねじ３０２で三脚ねじ支持ユニット２０５に固定する。これにより、図３（ｂ）に示す支持ユニット２０５Ａが構成される。中央放熱部材３０１は、左側放熱部３０３を有し、左側放熱部３０３は、カメラ本体１０１の左側部からの熱をカメラ本体１０１の中央部や右側部に放熱する。
【００１８】
次に、図４を参照して、撮像センサ４０１について説明する。図４（ａ）は撮像センサ４０１を正面側から見た斜視図、図４（ｂ）は図４（ａ）に示す撮像センサ４０１を背面側から見た斜視図である。
【００１９】
図４（ａ）に示すように、撮像センサ４０１は、正面側中央部に撮像チップ４０２を有し、撮像チップ４０２の正面側は保護ガラス４０３により覆われて保護されている。保護ガラス４０３の上下には、それぞれフランジ４０４が設けられ、フランジ４０４には、位置決め穴４０５が形成されている。
【００２０】
図４（ｂ）に示すように、撮像センサ４０１の背面側には、半田部４０６が設けられている。半田部４０６は、一般的にＢＧＡ（Ｂａｌl  Ｇｒｉｄ  Ａｒｒａｙ）やＬＧＡ（Ｌａｎｄ  Ｇｒｉｄ  Ａｒｒａｙ）と呼ばれるもので、ボール状や平面状に形成された半田を基板接合面に格子状に配置したものである。この半田部４０６を通してカメラ本体１０１の実装基板に撮像センサ４０１の信号が送られる。
【００２１】
図４（ｃ）は撮像センサ４０１をセンサ基板４０７に実装した状態を示す斜視図、図４（ｄ）は図４（ｃ）の背面斜視図である。図４（ｃ）及び図４（ｄ）に示すように、撮像センサ４０１は、センサ基板４０７の素子４０８とともに、センサ基板４０７にリフロー工程で実装される。センサ基板４０７には、半田部４０６との接点を避けた領域に開口部４０９が形成され、図４（ｅ）に示すように、開口部４０９を介して撮像センサ４０１の背面に放熱ゴム４１０が貼り付けられて撮像センサユニットが構成される。
【００２２】
次に、図５及び図６を参照してレンズユニット１０３について説明する。図５（ａ）は、レンズユニット１０３を背面側から見た斜視図、図５（ｂ）はレンズユニット１０３の背面側の端部に図４（ｅ）に示す撮像センサユニットを組み付けた状態を示す斜視図である。
【００２３】
レンズユニット１０３の背面側端部には、位置決めボス４１１，４１４、フランジ当接面４１２、及びねじ穴４１３が設けられている。位置決めボス４１１には、撮像センサ４０１の位置決め穴４０５が位置決め嵌合される。なお、位置決めボス４１４、フランジ当接面４１２及びねじ穴４１３については、後述する。
【００２４】
図６（ａ）はレンズユニット１０３の背面側に撮像センサユニットを介して放熱板４１５を組み付けた状態を示す斜視図、図６（ｂ）は放熱板４１５をレンズユニット１０３の取り付け面側から見た斜視図、図６（ｃ）は図６（ｂ）の背面図である。
【００２５】
図６（ａ）に示すように、レンズユニット１０３の位置決めボス４１４には、放熱板４１５に形成された位置決め穴４１９が位置決め嵌合されている。また、レンズユニット１０３のねじ穴４１３には、放熱板４１５に形成されたねじ挿通穴４２０（図６（ｂ）参照）に挿入された固定ねじ４１９が締結されている。
【００２６】
図６（ｂ）及び図６（ｃ）に示すように、放熱板４１５は、フランジ４０４を押圧するフランジ押圧部４１６を上下に有し、フランジ押圧部４１６には、腕部４１７が設けられている。放熱板４１５は、本発明の押圧部材の一例に相当する。なお、以下の説明では、レンズユニット１０３の背面側に撮像センサユニットを介して放熱板４１５を組み付けたユニットをカメラユニット５０１とする。
【００２７】
放熱板４１５は、銅含有率の高い銅合金等の熱伝導率の優れた金属部材で形成されている。銅合金は熱伝導性に優れるものの、弾性はバネ材等に比べて劣るため、フランジ押圧部４１６のようにバネ性を必要とする部位に長い腕部４１７を設けている。フランジ押圧部４１６のバネ性の必要性については後述する。また、放熱板４１５の中央部には、放熱ゴム４１０を押圧する放熱ゴム押圧部４１８が設けられている。放熱ゴム押圧部４１８は、絞り加工で形成され、バネ力は、フランジ押圧部４１６より弱い部位である。放熱ゴムは、本発明の放熱部材の一例に相当し、放熱ゴム押圧部４１８は、本発明の放熱部材押圧部の一例に相当する。
【００２８】
図６（ｄ）は、図６（ａ）に示すカメラユニット５０１の光軸方向に沿う概略断面図である。図６（ｄ）に示すように、撮像センサ４０１のフランジ４０４は、放熱板４１５を固定ねじ４２１でレンズユニット１０３に固定する力でフランジ押圧部４１６によりレンズユニット１０３に対して正面側に押し付けられる。撮像センサ４０１のフランジ４０４がフランジ押圧部４１６から力を受けることによって、撮像センサ４０１とレンズユニット１０３の光軸方向の位置が固定される。
【００２９】
この構成であれば、撮像センサ４０１のフランジ４０４に対してレンズユニット１０３をねじ止めする必要がないため、レンズユニット１０３の撮影光学系と固定ねじ４２１が干渉することがない。このため、撮影光学系の最終光学系を撮像センサ４０１に近づけることができ、広角の画像を得ることができる。
【００３０】
撮像センサ４０１のフランジ４０４と放熱板４１５のフランジ押圧部４１６が当接する面の距離は、各部品の公差が積み上がるため、ばらつきが存在する。具体的には、レンズユニット１０３のねじ穴４１３の面からフランジ当接面４１２までの寸法は±０．０３ｍｍ程度の公差を有し、フランジ４０４の厚みは±０．０５ｍｍ程度の公差を有する。また、放熱板４１５のねじ挿通穴４２０からフランジ押圧部４１６までは±０．０５ｍｍ程度の公差を有する。これらの公差がばらついても、フランジ押圧部４１６がフランジ４０４に対して押圧力を作用させるためには、フランジ押圧部４１６がバネ性を有する必要があり、その変位量は公差の積み上げで最大０．２６ｍｍに及ぶ。
【００３１】
銅合金でこの変位量に対して弾性域内で変形して塑性変形を起こさないようにするためには、本実施形態のように腕部４１７をフランジ押圧部４１６に設ける必要がある。また、フランジ押圧部４１６がフランジ４０４に直接接触する構造のため、撮像センサ４０１の熱を効率的に放熱板４１５に伝えることができる。
【００３２】
次に、放熱ゴム押圧部４１８と撮像センサ４０１の背面側で圧縮される放熱ゴム４１０の圧縮量がどの程度公差によってばらつくか説明する。前述した説明と同様に、レンズユニット１０３のねじ穴４１３の面からフランジ当接面４１２の寸法が±０．０３ｍｍ程度の公差を有し、フランジ４０４から撮像センサ４０１の背面までが±０．０５ｍｍ程度の公差を有する。そして、放熱板４１５のねじ挿通穴４２０から放熱ゴム押圧部４１８までは±０．０５ｍｍ程度の公差を有し、放熱ゴム４１０自体は±０．１ｍｍ程度の厚み公差を有する。
【００３３】
従って、放熱ゴム４１０の圧縮量は、０．４６ｍｍの幅を持つことになる。放熱ゴム４１０は、一般的なシリコンゴムなどのゴムであるが、圧縮量が１０〜４０％程度で用いることで熱伝導の効果を発揮できる。０．４６ｍｍが圧縮量１０〜４０％に入るような放熱ゴム４１０の厚みは、１．５ｍｍ程度ということになる。放熱ゴム４１０経由の放熱は圧縮量のばらつきで放熱効果が変化するが、前述したように、フランジ押圧部４１６は必ずフランジ４０４と接触して放熱できるため、放熱ゴム４１０以上に安定的に放熱を行うことが可能である。
【００３４】
図７（ａ）は図３（ｂ）に示す支持ユニット２０５Ａ（図３（ｂ）参照）に図６（ａ）に示すカメラユニット５０１を組み付ける様子を示す斜視図、図７（ｂ）は支持ユニット２０５Ａにカメラユニット５０１を組み付けた状態を示す斜視図である。
【００３５】
図７（ａ）に示すように、カメラユニット５０１を支持ユニット２０５Ａの中央放熱部材３０１の正面側で三脚ねじ２０１の上方から組み付ける。そして、支持ユニット２０５Ａの下面側から固定ねじ５０２によりカメラユニット５０１を三脚ねじ支持ユニット２０５に締結し、これにより、図７（ｂ）に示す状態となる。
【００３６】
図７（ｃ）は、図７（ｂ）の光軸方向に沿う概略断面図である。図７（ｃ）に示すように、三脚当接部１１２からレンズユニット１０３の光軸までに介在する部品は、固定部材２０３、底面補強部材２０２、及びレンズユニット１０３のみである。また、前述したように、レンズユニット１０３に対して撮像センサ４０１は位置決めされているため、三脚当接部１１２と撮像センサ４０１の位置ずれが小さくなる。
【００３７】
図８（ａ）は図７（ｂ）に示すユニットに緩衝部材６０１を組み付ける様子を示す斜視図、図８（ｂ）は図７（ｂ）に示すユニットに緩衝部材６０１を組み付けた状態を示す斜視図である。
【００３８】
図８（ａ）に示すように、緩衝部材６０１は、レンズユニット１０３の上側部に接するように略円弧形状に形成され、位置決め穴６０２を有している。レンズユニット１０３には、位置決めボス６０３が設けられ、位置決めボス６０３に緩衝部材６０１の位置決め穴６０２を嵌合させることで組み付け位置を確定する。緩衝部材６０１は、ゴムやエラストマーで形成された振動や衝撃、撓みを吸収する柔軟性を備えた部材である。また、緩衝部材６０１は、正面側にマイク防振部６０４を有している。図８（ｃ）に示すように、マイク防振部６０４の上面には、マイク部１０４が設けられている。
【００３９】
図９（ａ）は図８（ｃ）に示すユニットに左側部から部材を取り付ける様子を示す斜視図、図９（ｂ）は図８（ｃ）に示すユニットに左側部から部材を取り付けた状態を示す斜視図である。
【００４０】
図９（ａ）に示すように、レンズユニット１０３の左側部には、第１左側放熱部材７０１が取り付けられ、第１左側放熱部材７０１の外側には、 銅箔７０２，７０３及び放熱ゴム７０４を貼り付けた主回路実装基板７０５が取り付けられている。また、主回路実装基板７０５の外側には、第２左側放熱部材７０６が取り付けられ、第２左側放熱部材７０６は、固定ねじ７０７で第１左側放熱部材７０１に固定され、これにより、図９（ｂ）に示す状態となる。
【００４１】
銅箔７０２，７０３は、銅箔材または銅箔材を貼り付けたプラスチックシートを巻くことでバネ性を有するように構成して主回路実装基板７０５の熱源となる素子の上に放熱ゴム７０４を介して当接するように構成されている。銅箔７０２，７０３のように銅箔材等をバネ性を有する状態に巻き付けると圧縮時の反発力が弱く、素子や基板に力を過度にかけない構成を実現することができる。
【００４２】
また、銅箔７０２，７０３を放熱ゴム７０４を介さずに主回路実装基板７０５と当接させると、電極等に銅箔が接触して短絡してしまうため、放熱ゴム７０４によって絶縁を行う。放熱ゴム７０４は、一般的な熱伝導性を有したシリコンゴム等で形成されている。
【００４３】
図９（ｃ）は、図９（ｂ）に示すユニットに対して上面放熱部材７０８を取り付けた状態を示す斜視図である。上面放熱部材７０８には、緩衝部材６０１に設けられた嵌合ボス７０９に嵌合される穴部７１０が設けられている。
【００４４】
図１０は、図９（ｃ）に示すユニットの撮像センサ４０１の正面側位置での光軸と直交する方向に沿う断面模式図である。前述したように、レンズユニット１０３には、撮像センサ４０１が固定されており、その上面側には、緩衝部材６０１が設けられている。レンズユニット１０３は、上側が断面略円弧状で形成され、緩衝部材６０１は、レンズユニット１０３の外形に合わせて略円弧状に形成されている。緩衝部材６０１とレンズユニット１０３は、前述したように、位置決め穴６０２と位置決めボス６０３で位置決めされているが、緩衝部材６０１が柔軟性を有しているので、レンズユニット１０３は、緩衝部材６０１に対して可動に構成されている。
【００４５】
また、緩衝部材６０１の上面に沿うように上面放熱部材７０８が取り付けられている。緩衝部材６０１と上面放熱部材７０８も嵌合ボス７０９と穴部７１０で位置決めされているが、緩衝部材６０１が柔軟性を有しているので、上面放熱部材７０８に対して緩衝部材６０１及びレンズユニット１０３は可動に構成されている。また、三脚当接部１１２から撮像センサ４０１の水平方向８０１に介在する部品は、固定部材２０３と底面補強部材２０２、レンズユニット１０３、及び撮像センサ４０１のみである。したがって、本構成は三脚当接部１１２と撮像センサ４０１の水平方向８０１の傾きは小さい。
【００４６】
また、図９（ａ）で説明したように、主回路実装基板７０５の素子８０２を覆うように放熱ゴム７０４を貼り付け、放熱ゴム７０４に銅箔７０２を当接させて第１左側放熱部材７０１に素子８０２の熱を伝えることができる。放熱ゴム７０４は、前述したように、シリコンゴム等で形成されているため、一般的に圧縮したときの反発力が強く、寸法もばらつきが大きい。また、素子８０２は、主回路実装基板７０５に半田により実装されているため、リフローなどの半田実装工程にて浮き沈みの寸法が大きい。
【００４７】
そのため、素子８０２と第１左側放熱部材７０１との間に放熱ゴム７０４だけを配置した構成すると、放熱ゴム７０４の反発力が強すぎることや放熱ゴム７０４が素子８０２に接触しないなどの問題がある。そこで、放熱ゴム７０４と第１左側放熱部材７０１との間に銅箔７０２のように反発力が弱い部材を設けることによって、確実に接触して熱を伝えるとともに、素子８０２や主回路実装基板７０５に過度の力がかからない構成を実現できる。
【００４８】
図１１（ａ）は図９（ｃ）に示すユニットに光学ファインダ１０７とバッテリ収納部１１４を組み付ける様子を示す斜視図、図１１（ｂ）は図９（ｃ）に示すユニットに光学ファインダ１０７とバッテリ収納部１１４を組み付けた状態を示す斜視図である。
【００４９】
図１１（ａ）に示すように、図９（ｃ）に示すユニットの背面側に光学ファインダ１０７にバッテリ収納部１１４が組み込まれたユニットを組み付け、固定ねじ９０１によってバッテリ収納部１１４を中央放熱部材３０１に固定する。これにより、図１１（ｂ）に示す状態となる。
【００５０】
図１１（ｃ）は、図１１（ｂ）に示すユニットに正面カバー１００１を取り付けた状態を示す斜視図である。図１１（ｃ）に示すように、正面カバー１００１は、レンズユニット１０３の先端周辺を構成するカバー部材で、固定ねじ１００２によって上面放熱部材７０８に固定される。そして、図１１（ｃ）に示すユニットに対して右側カバーユニット１０５、上面カバー１０８、左側カバーユニット１０９、及び底面カバー１１１を組み付けて図１（ａ）に示す状態となる。
【００５１】
右側カバーユニット１０５、上面カバー１０８、左側カバーユニット１０９、底面カバー１１１は、いずれも上面放熱部材７０８又は第２左側放熱部材７０６、固定部材２０３、底面補強部材２０２、中央放熱部材３０１のいずれかに固定されている。なお、右側カバーユニット１０５、上面カバー１０８、左側カバーユニット１０９、底面カバー１１１は、レンズユニット１０３と緩衝部材６０１に対しては固定されない。
【００５２】
図１２は、図１（ａ）に示すデジタルビデオカメラの撮像センサ４０１の正面側位置での光軸と直交する方向に沿う断面模式図である。前述したように、レンズユニット１０３は、固定ねじ５０２によって下面側が三脚ねじ支持ユニット２０５に固定されている以外は、上面側を緩衝部材６０１で覆われているのみである。
【００５３】
右側カバーユニット１０５、上面カバー１０８、左側カバーユニット１０９、底面カバー１１１は、上面放熱部材７０８又は第２左側放熱部材７０６、固定部材２０３、底面補強部材２０２、中央放熱部材３０１のいずれかに固定ねじ１１０１で固定されている。このため、右側カバーユニット１０５、上面カバー１０８、左側カバーユニット１０９、底面カバー１１１が固定されることによって生じるストレスをレンズユニット１０３自体には伝えにくい構造となっている。
【００５４】
以上説明したように、本実施形態では、撮像センサ４０１のフランジ４０４面より正面側に固定ねじが突出しないため、撮影光学系の最終光学系を撮像センサ４０１の撮像面に近づけて広角の画像を得ることができる。よって、小型で高倍率のデジタルビデオカメラを提供することが可能となる。
【００５５】
なお、本発明の構成は、上記実施形態に例示したものに限定されるものではなく、材質、形状、寸法、形態、数、配置箇所等は、本発明の要旨を逸脱しない範囲において適宜変更可能である。
【００５６】
例えば、上記実施形態では、押圧部材として放熱機能を有する放熱板を例示したが、放熱機能を有しない部材であってもよい。
【符号の説明】
【００５７】
１０１  カメラ本体
１０３  レンズユニット
４０１  撮像センサ
４０４  フランジ
４１５  放熱板
４１６  フランジ押圧部
【図１】
2018056634.tif 000003
【図２】
2018056634.tif 000004
【図３】
2018056634.tif 000005
【図４】
2018056634.tif 000006
【図５】
2018056634.tif 000007
【図６】
2018056634.tif 000008
【図７】
2018056634.tif 000009
【図８】
2018056634.tif 000010
【図９】
2018056634.tif 000011
【図１０】
2018056634.tif 000012
【図１１】
2018056634.tif 000013
【図１２】
2018056634.tif 000014